(57)【特許請求の範囲】
【請求項１】
一定の面形状を有する、セラミックの誘電体単一層と、
前記誘電体単一層の面形状と同一の面形状を有して、該誘電体単一層の一方の面上に密着して設けられた第１の金属導電体層と、
前記誘電体単一層の面形状の領域から一部がはみ出す拡がりを有して、前記第１の金属導電体層上に設けられた異方性の第１の導電部材層と、
前記誘電体単一層の面形状と同一の面形状を有して、該誘電体単一層の他方の面上に密着して設けられた第２の金属導電体層と、
前記第２の金属導電体層上に設けられた第２の導電部材層と、
第１の面と第２の面とを有し、かつ該第１の面から該第２の面までの貫通する開口を有し、かつ該開口内に、前記第１の面の側に前記第１の導電部材層が、前記第２の面に前記第２の導電部材層がそれぞれ位置するように、前記誘電体単一層、前記第１の金属導電体層、前記第１の導電部材層、前記第２の金属導電体層、および前記第２の導電部材層を有する積層体を前記開口の縁との間に隙間が生じないように配置させた、板状の有機材料部材と、
前記第１の導電部材層上を少なくとも覆うように前記有機材料部材の前記第１の面上に設けられた第１の配線パターンと、
前記第２の導電部材層上を少なくとも覆うように前記有機材料部材の前記第２の面上に設けられた第２の配線パターンと
を具備することを特徴とするキャパシタ内蔵配線板。
【請求項２】
一定の面形状を有する、セラミックの誘電体単一層と、
前記誘電体単一層の面形状と同一の面形状を有して、該誘電体単一層の一方の面上に密着して設けられた第１の金属導電体層と、
前記誘電体単一層の面形状の領域から一部もはみ出さない拡がりで、前記第１の金属導電体層上に設けられた第１の導電部材層と、
前記誘電体単一層の面形状と同一の面形状を有して、該誘電体単一層の他方の面上に密着して設けられた第２の金属導電体層と、
前記第２の金属導電体層上に設けられた第２の導電部材層と、
第１の面と第２の面とを有し、かつ該第１の面から該第２の面までの貫通する開口を有し、かつ該開口内に、前記第１の面の側に前記第１の導電部材層が、前記第２の面に前記第２の導電部材層がそれぞれ位置するように、前記誘電体単一層、前記第１の金属導電体層、前記第１の導電部材層、前記第２の金属導電体層、および前記第２の導電部材層を有する積層体を前記開口の縁との間に隙間が生じないように配置させた、板状の有機材料部材と、
前記第１の導電部材層上を少なくとも覆うように前記有機材料部材の前記第１の面上に設けられた第１の配線パターンと、
前記第２の導電部材層上を少なくとも覆うように前記有機材料部材の前記第２の面上に設けられた第２の配線パターンと
を具備することを特徴とするキャパシタ内蔵配線板。
【請求項３】
前記第１の導電部材層が、異方性導電性ペーストまたは異方性導電性フィルムを硬化して得られた層であることを特徴とする請求項１または２記載のキャパシタ内蔵配線板。
【請求項４】
前記第１の導電部材層が、はんだの層であり、
前記第１の配線パターンが、前記第１の導電部材層の全領域上を覆っていること
を特徴とする請求項２記載のキャパシタ内蔵配線板。
【請求項５】
前記第２の導電部材層が、異方性導電性ペーストまたは異方性のない導電性ペーストを硬化して得られた層であることを特徴とする請求項１または２記載のキャパシタ内蔵配線板。
【請求項６】
前記第２の導電部材層が、はんだの層であり、
前記第２の配線パターンが、前記第２の導電部材層の全領域上を覆っていること
を特徴とする請求項１または２記載のキャパシタ内蔵配線板。
【請求項７】
一定の面形状を有する、セラミックの誘電体単一層と、前記誘電体単一層の面形状と同一の面形状を有して、該誘電体単一層の一方の面上に密着して設けられた第１の金属導電体層と、前記誘電体単一層の面形状と同一の面形状を有して、該誘電体単一層の他方の面上に密着して設けられた第２の金属導電体層と、を有する積層体を形成する工程と、
第１の金属箔上に、第１の導電部材とすべき異方性を有する第１の組成物を介して、該第１の組成物の一部が前記誘電体単一層の面形状の領域からはみ出すように、または、第１の導電部材とすべき第１の組成物を介して、該第１の組成物がその一部も前記誘電体単一層の面形状の領域からはみ出さないように、前記積層体の前記第１の金属導電体層の側を対向させ配置する工程と、
前記第１の金属箔上に、前記積層体の位置に相当して該積層体より大きな貫通開口が設けられたプリプレグを積層する工程と、
前記第１の金属箔上に載置された前記積層体の前記第２の金属導電体層上に第２の導電部材とすべき第２の組成物を適用する工程と、
前記第１の金属箔上の前記プリプレグ上に第２の金属箔を配置し、加圧、加熱して前記プリプレグに流動性を与え、流動性で該プリプレグが前記積層体に密着するように、かつ、前記第２の導電部材により前記第２の金属箔と前記第２の金属導電体層とが接続するように、前記プリプレグおよび前記第２の組成物を変化させて、前記第１の金属箔、前記プリプレグ、前記積層体、および前記第２の金属箔を積層、一体化する工程と、
前記プリプレグが硬化されたあと、前記第１の導電部材上を少なくとも覆うパターンが形成されるように、前記第１の金属箔をパターニングする工程と、
前記プリプレグが硬化されたあと、前記第２の導電部材上を少なくとも覆うパターンが形成されるように、前記第２の金属箔をパターニングする工程と
を具備することを特徴とするキャパシタ内蔵配線板の製造方法。
【発明の詳細な説明】
【技術分野】
【０００１】
本発明は、キャパシタ素子が内蔵されたキャパシタ内蔵配線板およびその製造方法に係り、特に、一般的な配線板材料とキャパシタの性能との両立性を考慮したキャパシタ内蔵配線板およびその製造方法に関する。
【背景技術】
【０００２】
キャパシタ素子を配線板内部に作り込んで具有させた構造には、例として下記各特許文献に開示されたものがある。有機材料（樹脂材料）を絶縁層に使用した一般的な配線板では、その有機材料の耐熱性の観点から、キャパシタ誘電体の材料として、樹脂ベースのものを使わざるを得ない。セラミックの誘電体は、製造途上で焼成するときの温度（例えば６００℃〜１２００℃）が、配線板の有機材料の耐熱温度（例えば２百数十℃）を大きく超えてしまう。
【０００３】
しかしながら、樹脂ベースの誘電体材料では、配線板の樹脂材料との整合性や機械的強度の点で、誘電性物質であるフィラーの含有割合が限られ、静電容量の大きなキャパシタを作れない難点がある。セラミックの誘電体では比誘電率が１０００以上のもの存在するが、樹脂ベースの誘電体材料では比誘電率として５０程度が限度であり、非常に大きな差がある。
【０００４】
また、樹脂ベースの誘電体材料は、硬化収縮する性質をもつため、製造方法によっては制御性よくその面積を設定できない場合もあり、その場合素子としての容量設定の精度が難点になる。また、作られたあとは、吸湿性や熱膨張のためサイズ変化を起こし特性劣化が生じやすい性質もある。
【０００５】
加えて、キャパシタ内蔵配線板では、単なるキャパシタ素子を作るのとは異なり、これを配線板内部に具有させた構造を得るため、プロセスが複雑になりがちであり生産性やコスト的な問題が生じやすい。
【先行技術文献】
【特許文献】
【０００６】
【特許文献１】特開平１０−５６２５１号公報
【特許文献２】米国特許第５０７９０６９号明細書
【特許文献３】米国特許第６３４９４５６号明細書
【特許文献４】特開２００６−２４５５８８号公報
【発明の概要】
【発明が解決しようとする課題】
【０００７】
本発明は、上記した事情を考慮してなされたもので、キャパシタ素子が内蔵されたキャパシタ内蔵配線板およびその製造方法において、高比誘電率の誘電体を有しかつ特性のよいキャパシタを、簡易なプロセスで内蔵可能なキャパシタ内蔵配線板およびその製造方法を提供することを目的とする。
【課題を解決するための手段】
【０００８】
上記の課題を解決するため、本発明の一態様であるキャパシタ内蔵配線板は、一定の面形状を有する、セラミックの誘電体単一層と、前記誘電体単一層の面形状と同一の面形状を有して、該誘電体単一層の一方の面上に密着して設けられた第１の金属導電体層と、前記誘電体単一層の面形状の領域から一部がはみ出す拡がりを有して、前記第１の金属導電体層上に設けられた異方性の第１の導電部材層と、前記誘電体単一層の面形状と同一の面形状を有して、該誘電体単一層の他方の面上に密着して設けられた第２の金属導電体層と、
前記第２の金属導電体層上に設けられた第２の導電部材層と、第１の面と第２の面とを有し、かつ該第１の面から該第２の面までの貫通する開口を有し、かつ該開口内に、前記第１の面の側に前記第１の導電部材層が、前記第２の面に前記第２の導電部材層がそれぞれ位置するように、前記誘電体単一層、前記第１の金属導電体層、前記第１の導電部材層、前記第２の金属導電体層、および前記第２の導電部材層を有する積層体を前記開口の縁との間に隙間が生じないように配置させた、板状の有機材料部材と、前記第１の導電部材層上を少なくとも覆うように前記有機材料部材の前記第１の面上に設けられた第１の配線パターンと、前記第２の導電部材層上を少なくとも覆うように前記有機材料部材の前記第２の面上に設けられた第２の配線パターンとを具備することを特徴とする。また、別の態様であるキャパシタ内蔵配線板は、一定の面形状を有する、セラミックの誘電体単一層と、前記誘電体単一層の面形状と同一の面形状を有して、該誘電体単一層の一方の面上に密着して設けられた第１の金属導電体層と、前記誘電体単一層の面形状の領域から一部もはみ出さない拡がりで、前記第１の金属導電体層上に設けられた第１の導電部材層と、前記誘電体単一層の面形状と同一の面形状を有して、該誘電体単一層の他方の面上に密着して設けられた第２の金属導電体層と、前記第２の金属導電体層上に設けられた第２の導電部材層と、第１の面と第２の面とを有し、かつ該第１の面から該第２の面までの貫通する開口を有し、かつ該開口内に、前記第１の面の側に前記第１の導電部材層が、前記第２の面に前記第２の導電部材層がそれぞれ位置するように、前記誘電体単一層、前記第１の金属導電体層、前記第１の導電部材層、前記第２の金属導電体層、および前記第２の導電部材層を有する積層体を前記開口の縁との間に隙間が生じないように配置させた、板状の有機材料部材と、前記第１の導電部材層上を少なくとも覆うように前記有機材料部材の前記第１の面上に設けられた第１の配線パターンと、前記第２の導電部材層上を少なくとも覆うように前記有機材料部材の前記第２の面上に設けられた第２の配線パターンとを具備することを特徴とする。
【０００９】
これらの配線板は、内蔵のキャパシタの部分が、配線板を製造するための積層工程など工程とは別の工程として形成することに適するような構造を有している。また、キャパシタの部分はセラミックの誘電体を有しかつ単純な構造であり、これ自体も簡易なプロセスで形成可能である。したがって、これらの配線板は、高比誘電率の誘電体を有しかつ特性のよいキャパシタを、簡易なプロセスで内蔵可能なキャパシタ内蔵配線板である。
【００１０】
また、本発明のさらに別の態様であるキャパシタ内蔵配線板の製造方法は、一定の面形状を有する、セラミックの誘電体単一層と、前記誘電体単一層の面形状と同一の面形状を有して、該誘電体単一層の一方の面上に密着して設けられた第１の金属導電体層と、前記誘電体単一層の面形状と同一の面形状を有して、該誘電体単一層の他方の面上に密着して設けられた第２の金属導電体層と、を有する積層体を形成する工程と、第１の金属箔上に、第１の導電部材とすべき異方性を有する第１の組成物を介して、該第１の組成物の一部が前記誘電体単一層の面形状の領域からはみ出すように、または、第１の導電部材とすべき第１の組成物を介して、該第１の組成物がその一部も前記誘電体単一層の面形状の領域からはみ出さないように、前記積層体の前記第１の金属導電体層の側を対向させ配置する工程と、前記第１の金属箔上に、前記積層体の位置に相当して該積層体より大きな貫通開口が設けられたプリプレグを積層する工程と、前記第１の金属箔上に載置された前記積層体の前記第２の金属導電体層上に第２の導電部材とすべき第２の組成物を適用する工程と、前記第１の金属箔上の前記プリプレグ上に第２の金属箔を配置し、加圧、加熱して前記プリプレグに流動性を与え、流動性で該プリプレグが前記積層体に密着するように、かつ、前記第２の導電部材により前記第２の金属箔と前記第２の金属導電体層とが接続するように、前記プリプレグおよび前記第２の組成物を変化させて、前記第１の金属箔、前記プリプレグ、前記積層体、および前記第２の金属箔を積層、一体化する工程と、前記プリプレグが硬化されたあと、前記第１の導電部材上を少なくとも覆うパターンが形成されるように、前記第１の金属箔をパターニングする工程と、前記プリプレグが硬化されたあと、前記第２の導電部材上を少なくとも覆うパターンが形成されるように、前記第２の金属箔をパターニングする工程とを具備することを特徴とする。
【００１１】
この製造方法は、上記のキャパシタ内蔵配線板を製造するためのひとつの方法である。これにより製造される配線板はいわゆる両面配線板であるが、さらに多層の配線板とするため、第１の金属箔に代えて、あらかじめパターン形成された金属箔（＝配線パターン）を表面に有する絶縁板を用いることもできる。また同様の目的のため、第２の金属箔に代えて、あらかじめパターン形成された金属箔（＝配線パターン）を表面に有する絶縁板を用いることもできる。これらの場合は、全体の積層、一体化のあとでの金属箔のパターニングを行わずとも、そのパターニングがあらかじめなされていることになる。
【発明の効果】
【００１４】
本発明によれば、キャパシタ素子が内蔵されたキャパシタ内蔵配線板およびその製造方法において、高比誘電率の誘電体を有しかつ特性のよいキャパシタを、簡易なプロセスで内蔵可能なキャパシタ内蔵配線板およびその製造方法を提供することができる。
【図面の簡単な説明】
【００１５】
【図１】本発明の一実施形態であるキャパシタ内蔵配線板の構成を模式的に示す断面図。
【図２】図１に示したキャパシタ内蔵配線板の製造過程を模式的に断面で示す工程図。
【図３】図２の続図であって、図１に示したキャパシタ内蔵配線板の製造過程を模式的に断面で示す工程図。
【図４】図１に示したキャパシタ内蔵配線板に使用のキャパシタ素子を製造する過程を模式的に断面で示す工程図。
【図５】本発明の別の実施形態であるキャパシタ内蔵配線板の構成を模式的に示す断面図。
【図６】図５に示したキャパシタ内蔵配線板の製造過程の一部を断面で示す工程図。
【発明を実施するための形態】
【００１６】
本発明の実施態様として、前記第１の導電部材層が、異方性導電性ペーストまたは異方性導電性フィルムを硬化して得られた層である、とすることができる。これらは第１の導電部材層を形成するための例である。一般的には、もとがペーストであるよりフィルムである方が、硬化後の形状制御性がよいので使いやすい。また、異方性のある材料は、隙間からのはみ出しの部分が導電性を呈することがないので、配線板の他の領域への悪影響要因になりにくい。
【００１７】
また、実施態様として、前記第１の導電部材層が、はんだの層であり、前記第１の配線パターンが、前記第１の導電部材層の全領域上を覆っている、とすることができる。第１の導電部材層は、上記のようなペーストやフィルムを由来とするものとする以外に、はんだの層とすることもできる。はんだを使用した場合には、このはんだが有機材料部材の第１の面上に露出しないように、第１の配線パターンは、このはんだの全領域上を覆うパターンに形成されている。はんだが露出すると、この配線板上に部品を実装するとき（２次実装時）に溶融してはんだが外へ流れ出すのでこれを防止するためである。
【００１８】
また、実施態様として、前記第２の導電部材層が、異方性導電性ペーストまたは異方性のない導電性ペーストを硬化して得られた層である、とすることができる。これらは第２の導電部材層を形成するための例である。異方性のある材料の場合は、隙間からのはみ出しの部分が導電性を呈することがないので、配線板の他の領域への悪影響要因になりにくく、異方性のない材料より使いやすい。また、ペーストを用いることにより、その量をコントロールして、第２の金属導電体層と第２の配線パターンとの間の、埋めるべき体積に適切に対応することができる。
【００１９】
また、実施態様として、前記第２の導電部材層が、はんだの層であり、前記第２の配線パターンが、前記第２の導電部材層の全領域上を覆っている、とすることができる。第２の導電部材層も、ペーストを由来とするものとする以外に、はんだの層とすることができる。はんだを使用した場合には、このはんだが有機材料部材の第２の面上に露出しないように、第２の配線パターンは、このはんだの全領域上を覆うパターンに形成されている。はんだが露出すると、この配線板上に部品を実装するとき（２次実装時）に溶融してはんだが外へ流れ出すのでこれを防止するためである。
【００２０】
以上を踏まえ、以下では本発明の実施形態を図面を参照しながら説明する。図１は、本発明の一実施形態であるキャパシタ内蔵配線板の構成を模式的に示す断面図である。同図に示すように、このキャパシタ内蔵配線板は、絶縁層１１、配線パターン（配線層）２１、２２、層間接続体３１、キャパシタ素子４０、導電性接着剤層（導電部材層）５１、５２を有する。ここで、キャパシタ素子４０は、誘電体単一層４１、金属導電体層４２、４３を有する。
【００２１】
この配線板は、いわゆる両面配線板であって、かつ、その板厚み内部にキャパシタ素子４０を具有させた構造である。ここでキャパシタ素子４０は、配線板としての板部材である絶縁層１１の一部領域に置き換わるように内部に配置され、キャパシタ素子４０と絶縁層１１との間に隙間はない。構造的に単純であり、製造過程を後述するが、プロセス的にも負担の少ない製造が可能である。
【００２２】
この配線板のキャパシタ素子４０およびその周りを除く各部分については、公知の両面配線板の構成と同様のものでよい。例えば次のようなものである。
【００２３】
絶縁層１１は、例えばガラスエポキシ樹脂などの有機材料の部材（板材）である。その厚さは、キャパシタ素子４０の厚さに適応してそれより少し厚く、例えば５０μｍから１００μｍ程度とすることができる。配線パターン１１、１２は、絶縁層１１の両面に積層された厚さ例えば１８μｍの金属箔（銅箔）をパターニングして得ることができる。層間接続体３１は、金属箔上にスクリーン印刷で形成された導電性ペーストのバンプを由来とする導電体をここでは用いている。層間接続体３１は、これに限らず、公知の別のもの、例えば、スルーホール内壁にめっき形成した導電体、貫通孔に充填の導電性ペーストを由来とした導電体、金属箔上にめっきにより成長させた金属バンプ、あるいは金属板をエッチングして得たバンプなどで代えることもできる。
【００２４】
キャパシタ素子４０は、電気的に、導電性接着剤層５１、５２により、配線パターン２２、２１にそれぞれ接続されている。このため、絶縁層１１にはその両面間を貫通する開口があり、この開口内に、キャパシタ素子４０と導電性接着剤層５１、５２とで構成される積層体が配置されている。ここで、この積層体と開口の縁との間には隙間がなく、かつ別な部材が介在することもなく、構造として単純である。
【００２５】
キャパシタ素子４０の誘電体単一層４１は、セラミックの単一層であり、一定の面形状（例えば矩形）を有している。金属導電体層４２、４３は、おのおの、誘電体単一層４１の面形状と同一の面形状を有して、誘電体単一層４１の両面上それぞれに密着して設けられている。金属導電体層４２、４３は、キャパシタ素子４０の両電極として機能する導電体層であり、これによりキャパシタ素子４０は、上記のように、導電性接着剤層５１、５２を介して電気的に配線パターン２２、２１に接続されている。配線パターン２２、２１は、導電性接着剤層５１、５２上を少なくとも覆うように絶縁層１１の各面上に形成されている。
【００２６】
キャパシタ素子４０の誘電体単一層４１の厚さは、例えば４０μｍから６０μｍとすることができ、後述するが焼成前のグリーンシート（例えばチタン酸バリウムの粉末を含む）を焼成して得た焼結体の層である。金属導電体層４２、４３は、例えば、誘電体単一層４１の両面上に導電体ペーストの層を形成しこれを焼き固めて得た導電体層であり、厚さは例えば数μｍである。誘電体単一層４１、金属導電体層４２、４３を有するキャパシタ素子４０の平面的な大きさは、設定すべき静電容量に応じて、例えば数百μｍ角から２ｍｍ角程度を考えることができる。
【００２７】
導電性接着剤層５１は、キャパシタ素子４０の金属導電体層４２と配線パターン２２との間に設けられた、異方性導電性ペースト、異方性導電性フィルム、または異方性のない導電性ペーストを硬化して得られた層である（ここでは異方性導電性フィルムを使用）。この層は、一般的には、もとがペーストであるよりフィルムである方が、硬化後の形状制御性がよいので使いやすい。また、異方性のある材料の場合は、隙間からのはみ出しの部分が導電性を呈することがないので、配線板の他の領域への悪影響要因になりにくく、異方性のない材料より使いやすい。
【００２８】
導電性接着剤層５２は、キャパシタ素子４０の金属導電体層４３と配線パターン２１との間に設けられた、異方性導電性ペーストまたは異方性のない導電性ペーストを硬化して得られた層である（ここでは異方性導電性ペーストを使用）。この層は、異方性のある材料の場合は、隙間からのはみ出しの部分が導電性を呈することがないので、配線板の他の領域への悪影響要因になりにくく、異方性のない材料より使いやすい。また、ペーストを用いることにより、その量をコントロールして、金属導電体層４３と配線パターン２１との間の、埋めるべき体積に適切に対応することができる。
【００２９】
この配線板は、後述するが、内蔵のキャパシタ素子４０の部分が、配線板を製造するための積層工程など工程とは別の工程として形成することに適するような構造を有している。また、キャパシタ素子４０の部分はセラミックの誘電体単一層４１を有しかつ単純な構造であり、これ自体も簡易なプロセスで形成可能である。したがって、この配線板は、高比誘電率の誘電体を有しかつ特性のよいキャパシタを、簡易なプロセスで内蔵可能なキャパシタ内蔵配線板になっている。
【００３０】
次に、図１に示したキャパシタ内蔵配線板の製造方法について図２、図３を参照して説明する。図２から図３は、一連の工程図であり、それぞれ、図１に示したキャパシタ内蔵配線板の製造過程を模式的に断面で示す工程図である。図２、図３において、図１中に示した構成要素と同一または同一相当のものには同一符号を付してある。
【００３１】
まず、図２（ａ）に示すように、厚さ例えば１８μｍの金属箔（電解銅箔）２２Ａ上に例えばスクリーン印刷により、層間接続体３１となるペースト状の導電性組成物をほぼ円錐形のバンプ状に形成する。この導電性組成物は、ペースト状の樹脂中に銀、金、銅などの金属微細粒または炭素微細粒を分散させたものである。層間接続体３１の印刷後これを乾燥させて硬化させる。
【００３２】
次に、図２（ｂ）に示すように、金属箔２２Ａ上にＦＲ−４のプリプレグ１１Ａを積層して層間接続体３１を貫通させ、その頭部が露出するようにする。露出に際してあるいはその後その先端を塑性変形でつぶしてもよい。プリプレグ１１Ａには、内蔵して具有すべきキャパシタ素子に相当する領域に開口部１１ｏをあらかじめ設けておく。
【００３３】
続いて、図２（ｃ）に示すように、開口部１１ｏ内の金属箔２２Ａ上に、内蔵して具有すべきキャパシタ素子を固定するための組成物である導電性接着剤５１Ａ（ここでは異方性導電性フィルム）を例えばマウンタを用いて載置する。すでに述べたように、異方性導電性フィルムに代えて、異方性導電性ペーストや異方性のない導電性ペーストを用いることもできる。これらの場合は例えばディスペンサを使用して金属箔２２Ａ上に適用できる。
【００３４】
次に、図３（ａ）に示すように、導電性接着剤５１Ａ上にキャパシタ素子４０を例えばマウンタを用いて配置する。キャパシタ素子４０についてはその構造をすでに説明しているが、この配置する時点では、あらかじめ別な工程を経て作られたあとのものを利用する。キャパシタ素子４０の形成工程例については、後述する（図４）。なお、以後の工程の便宜のため、この配置の時点で、導電性接着剤５１Ａを多少熱硬化させてキャパシタ素子４０を仮固定しておいてもよい。仮固定のため、キャパシタ素子４０をマウンタではなく、加熱ができる例えばフリップチップボンダで導電性接着剤５１Ａ上に配置する。
【００３５】
次に、図３（ｂ）に示すように、キャパシタ素子４０上に、組成物である導電性接着剤５２Ａ（ここでは異方性導電性ペースト）を例えばディスペンサを使用して適用する。すでに述べたように、異方性導電性ペーストに代えて異方性のない導電性ペーストを用いることもできる。導電性接着剤５２Ａの量は、キャパシタ素子４０と金属箔２１Ａとの間の、埋めるべき体積に対応して設定する。キャパシタ素子４０の厚さとプリプレグ１１Ａの厚さとの公差は、設定次第であり、かつまたキャパシタ素子４０の平面的な大きさによっても上記体積は変化するためである。
【００３６】
次に、図３（ｃ）に示すように、プリプレグ１１Ａ上に金属箔（電解銅箔）２１Ａを積層配置して加圧、加熱し全体を一体化する（図３（ｄ））。加熱温度は、例えば１７５℃とすることができる。このとき、加熱により得られるプリプレグ１１Ａの流動性により、キャパシタ素子４０の周りの空間に向かってプリプレグ１１Ａが流動して開口部１１ｏの縁が移動する。これにより、プリプレグ１１Ａがキャパシタ素子４０等に密着する構造になって空隙は発生しない。プリプレグ１１Ａは完全に硬化して絶縁層１１になる。
【００３７】
また、導電性接着剤５１Ａの熱硬化により金属箔２２Ａとキャパシタ素子４０（の金属導電体層４２）とが接着し、かつ、導電性接着剤５２Ａの熱硬化により金属箔２１Ａとキャパシタ素子４０（の金属導電体層４３）とが接着する。さらに、金属箔２１Ａは層間接続体３１にも密着してこれらの間が電気的導通状態になる。
【００３８】
図３（ｄ）に示す構造が得られたあと、上下両面の金属箔２１Ａ、２２Ａを周知のフォトリソグラフィを利用して所定にパターニングして配線パターン２１、２２を形成することにより、図１に示したようなキャパシタ内蔵配線板を得ることができる。なお、通常、このまま両面配線板として利用する場合には、上下両面に、さらに、部品実装等ではんだが載るべき配線層２１、２２によるランド領域を除いてはんだレジスト（不図示）の層を形成することができる。はんだレジストの層は、はんだ接続時に溶融したはんだをランド部分に留めかつその後は保護層として機能する。ランド部分の表層には、耐腐食性の高いＮｉ／Ａｕのめっき層（不図示）を形成するようにしてもよい。
【００３９】
次に、図４を参照して、上記で言及のキャパシタ素子４０の形成工程例について説明する。図４は、図１に示したキャパシタ内蔵配線板に使用のキャパシタ素子４０を製造する過程を模式的に断面で示す工程図である。同図において、すでに説明した図中に示した構成要素と同一または同一相当のものには同一符号を付してある。
【００４０】
まず、図４（ａ）に示すように、作られるべきキャパシタ素子４０の誘電体単一層４１の厚さに対応した、ごく薄いグリーンシート４１Ａを形成、用意する。グリーンシート４１Ａは、例えば、主として誘電体粉末（例えばチタン酸バリウムの粉末）を含み、加えて金属添加物（比誘電率などの特性の調整のため）、焼結助剤（焼結性を高めるため）、バインダ樹脂、有機溶媒などを有する組成物である。薄く形成するためには、例えばドクターブレード法などの周知の方法を利用することができる。形成したあと、ダイサーに適用できるような適当な大きさ（半導体ウエハ程度の大きさ）に打ち抜く。
【００４１】
次に、図４（ｂ）に示すように、グリーンシート４１Ａの片面上に、金属導電体層４２とすべき導電体ペースト４２Ａの層を、例えばスキージ１０１を用いた印刷で所定厚に形成する。導電体ペースト４２Ａは、例えば、主として導体である例えばＡｇやＣｕの微細粒子をフィラーとし、これをバインダである低融点ガラス中に分散させた組成物である。グリーンシート４１Ａの片面上に導電体ペースト４２Ａの層を形成後、例えば１００℃〜３００℃の温度で導電体ペースト４２Ａを仮乾燥させる。
【００４２】
導電体ペースト４２Ａの仮乾燥後、図４（ｃ）に示すように、グリーンシート４１Ａのもう片面上に、金属導電体層４３とすべき導電体ペースト４３Ａの層を、導電体ペースト４２Ａと同様の組成のものを使用した印刷で所定厚に形成する。そして、導電性ペースト４２Ａの場合と同様に、例えば１００℃〜３００℃の温度で導電体ペースト４３Ａを仮乾燥させる。
【００４３】
次に、上記で得られた３層構造のシートを焼成する。この場合、その焼成温度は、導電性ペースト４２Ａ、４３Ａの金属微細粒子が連接して金属層となるような好ましい焼成温度である、例えば、８５０℃〜９００℃とすることができる。焼成雰囲気は、形成されるべき金属導電体層４２、４３の酸化を抑制するため非酸化性雰囲気とするのが好ましい。
【００４４】
続いて、上記の焼成で得られた３層構造の焼結体を、得るべきキャパシタ素子４０としての必要面積に応じたカットラインＣＬに沿い、例えばダイサーを用いてカットし個片化する（図４（ｄ））。以上により、図１に示したキャパシタ内蔵配線板で使用するためのキャパシタ素子４０を得ることができる。なお、金属導電体層４２、４３としては、これらの一部として、上記の導電性ペースト４２Ａ、４３Ａを焼成したあとに、その表層としてＳｎ（すず）の層を追加して設けるようにしてもよい。このようにすれば、導電性接着剤５１Ａ、５２Ａに代えてはんだを使用する場合（後述する）にも良好な接合性を確保でき都合がよい。
【００４５】
キャパシタ素子４０は、上記のように個片化して得るため、最終的に得るべき形状や面積の設定が非常に容易である。また、キャパシタ素子４０は、その金属導電体層４２、４３が、おのおの、誘電体単一層４１の面形状と同一の面形状を有して誘電体単一層４１の両面上に設けられることになるので、これらのみでその静電容量が決定され、配線板に使用した場合に、導電性接着剤層５１、５２の広がる面積や配線パターン２１、２２のパターン形状からの影響を受けない。この点も大きな利点である。
【００４６】
以上説明した方法では、グリーンシート４１Ａと、導電性ペースト４２Ａ、４３Ａとを同時に焼成して個片化前のシートを得るようにしているが、グリーンシート４１Ａの焼成と、導電性ペースト４２Ａ、４３Ａの焼成とを別々の工程として設けるようにしてもよい。この場合、例えば、まず、グリーンシート４１Ａの焼成を、その焼成温度としてより適当な温度である例えば１１００℃〜１３００℃で行う。一般に高温の焼成の方が高い比誘電率のセラミックになる。
【００４７】
グリーンシート４１Ａを焼成したあとに、導電体ペースト４２Ａの層の形成、仮乾燥を行い、さらに、導電体ペースト４３Ａの層の形成を行う。そして、形成された導電体ペースト４２Ａ、４３Ａの層の焼成を例えば５００℃〜９００℃の温度で行う。これにより、金属導電体層４２、４３が誘電体単一層４１上に密着するように形成される。
【００４８】
キャパシタ素子４０は、上記のいずれの方法でも、配線板としての形成工程とは離れて別工程で形成ことができる。したがって、配線板の有機材料の耐熱温度（例えば２百数十℃）に制限されることなく、高温の焼成温度を利用した高比誘電率の誘電体を有する特性のよいキャパシタになる。この点は、キャパシタ素子４０に相当してセラミックの誘電体層を例えば金属箔２２Ａ上に直接、層としてあらかじめ印刷、形成すれば、配線板の有機材料の耐熱温度に制限されることはなくなる。しかしながら、この場合、印刷した誘電体層が重力で型崩れしたり、金属箔２２Ａと誘電体層との熱膨張係数の違いにより焼成後に誘電体層が反ったり、誘電体層が硬化収縮したりして形状のコントロールが難しくなる。
【００４９】
また、キャパシタ素子４０の利点には、誘電体単一層４１と、この両面に密着して設けられた、最外層である金属導電体層４２、４３とを有して、膜素子の態様としてごく薄い構成で形成できる点が挙げられる。これにより、配線板としてこれを内蔵具有するため、その絶縁材料層の厚さを通常より厚くするような対応を特に講じるには及ばない。よって、ごく薄い配線板用として使用できるとともに、当然ながら、より厚い絶縁材料層を有する配線板に適用することもできる。
【００５０】
より厚い絶縁材料層を有する配線板への適用例としては、例えば、キャパシタ素子４０の金属導電体層４３とこれに対向する配線パターン２１との電気的接続を、導電性接着剤５２Ａに代えて、金属箔２１Ａ上に形成された導体バンプ（例えばめっきで形成）とする構成が考えられる。この場合、導体バンプが、より厚い絶縁層１１を縦方向に貫く、キャパシタ素子４０と配線パターン２１との間のコンタクトとして機能する。
【００５１】
また、より厚い絶縁材料層を有する配線板におけるキャパシタ素子４０の別の適用例として、金属導電体層４２、４３ともに配線パターン２２の側に電気的に接続する構造が考えられる。この場合、金属導電体層４２は導電性接着剤層５１により配線パターン２２に電気的に接続される一方、金属導電体層４３は、この金属導電体層４３上から金属箔２２Ａ上にまで覆うように形成された導電性ペーストにより金属箔２２に電気的に接続する。この導電性ペーストの上方に絶縁層１１を位置させる。
【００５２】
次に、図５を参照して、別の実施形態であるキャパシタ内蔵配線板を説明する。図５は、別の実施形態であるキャパシタ内蔵配線板の構成を模式的に示す断面図である。同図において、すでに説明した図中に示した構成要素と同一または同一相当のものには同一符号を付してある。
【００５３】
このキャパシタ内蔵配線板は、半導体素子部品６１やチップ抵抗（電気部品）６２が埋設で実装された多層（８層）配線板であり、加えて、すでに説明の構造を有するキャパシタ素子４０（４０１、４０２、４０３）を内部に具有させた構造である。キャパシタ素子４０等を内部に具有させるため、その上下面には導電性接着剤層５１、５２が介在する（他のキャパシタ素子４０１等も同様である）。これら以外に、絶縁層（絶縁板）１１〜１７、配線層（配線パターン）２１〜２８、層間接続体３１〜３７、はんだ７１、７２、はんだレジスト８１、８２を有する。
【００５４】
半導体素子部品６１は、例えば、ウエハレベル・チップスケールパッケージによるＬＧＡの半導体素子であり、半導体チップと、この半導体チップ上に形成されたグリッド状配列の表面実装用端子６１ａとを少なくとも備えている。半導体素子部品６１の表面実装用端子６１ａと配線層２２が含むランドとは、はんだ７１により電気的、機械的に接続されている。
【００５５】
チップ抵抗６２は、表面実装型の部品であり、その平面的な大きさは例えば０．６ｍｍ×０．３ｍｍである。両端に端子を有し、その下側が配線層２２が含むランドに対向位置している。チップ抵抗６２の端子とランドとは、はんだ７２により電気的、機械的に接続されている。チップ抵抗４２は、これに代えてチップキャパシタやチップインダクタであっても同様に内蔵、埋設され得る。
【００５６】
配線層２１、２８は、それぞれ、主面上の配線層であり、その上に各種の部品（不図示）が実装され得る。この実装ではんだ（不図示）が載るべき配線層２１、２８のランド部分を除いて主面上には、はんだ接続時に溶融したはんだをランド部分に留めかつその後は保護層として機能するはんだレジスト８１、８２が形成されている。ランド部分の表層には、耐腐食性の高いＮｉ／Ａｕのめっき層（不図示）を形成するようにしてもよい。
【００５７】
各配線層２１〜２８は、それぞれ金属（銅）箔を所定のパターンに加工したものである。配線層２１〜２８を隔てる絶縁層１１〜１７は、それぞれ例えばガラスエポキシ樹脂からなるリジッドな素材である。絶縁層１３〜１５は、埋設された半導体素子部品６１およびチップ抵抗６２に相当する位置部分が開口部になっており、部品６１、６２を収容するための空間を提供する。絶縁層１２、１６は、埋設された部品６１、６２のための絶縁層１３〜１５の上記開口部の空間を埋めるように変形進入し内部に空隙となる空間が生じないようにしている。
【００５８】
配線層２１と配線層２２とは、それらのパターンの面の間に挟設されかつ絶縁層１１を貫通する層間接続体３１により導通し得る。同様に、配線層２２と配線層２３とは、絶縁層１２を貫通して設けられた層間接続体３２により導通し得る。配線層２３と配線層２４とは、それらのパターンの面の間に挟設されかつ絶縁層１３を貫通する層間接続体３３より導通し得る。
【００５９】
さらに同様に、配線層２４と配線層２５とは、それらのパターンの面の間に挟設されかつ絶縁層１４を貫通する層間接続体３４より導通し得る。配線層２５と配線層２６とは、それらのパターンの面の間に挟設されかつ絶縁層１５を貫通する層間接続体３５より導通し得る。配線層２６と配線層２７とは、それらのパターンの面の間に挟設されかつ絶縁層１６を貫通する層間接続体３６より導通し得る。配線層２７と配線層２８とは、それらのパターンの面の間に挟設されかつ絶縁層１７を貫通する層間接続体３７より導通し得る。
【００６０】
層間接続体３１〜３７は、それぞれ、導電性組成物のスクリーン印刷により形成される導電性バンプを由来とする柱状構造のものであり、その製造工程に依拠して軸方向（図５の図示で上下の積層方向、貫通方向）に径が変化している。これらの層間接続体３１〜３７は、小さな領域に高密度に設けることができ、基板設計のファイン化に資することができる。
【００６１】
以上のような構造の多層配線板において、キャパシタ素子４０（４０１、４０２、４０３）は、配線板としての板部材である絶縁層１１（１４、１６、１７）それぞれの一部領域に置き換わるように内部に配置されている。したがって、それらの配置の自由度は比較的高く、配線板としての設計の容易さにあまり影響を与えない。また、このように内部に配置させるためのプロセスがすでに説明したように容易であり、大きな利点になっている。
【００６２】
図６は、図５に示したキャパシタ内蔵配線板の製造過程の一部を断面で示す工程図である。図中の符号は図５と共通する。この工程は、このキャパシタ内蔵配線板を得るための最終的な積層工程を示している。
【００６３】
図６中に示した積層部材１は、図１に示したキャパシタ内蔵配線板とほぼ同様の配線板を用い（符号も共通している）、これに半導体素子部品６１、チップ抵抗６２を表面実装して得た部材である。ここでは、金属箔２１Ａをパターニングして配線層２１を得る前の状態のものを用いている。
【００６４】
積層部材２は、半導体素子部品６１、チップ抵抗６２に相当する領域に開口部２ｏが形成されている。この開口部２ｏは、例えば、この図６に示す積層工程の直前に形成することができる。この点を除けば、すでに説明した工程を参照して次のようにして得ることができる。すなわち、配線パターン２３、絶縁層１３、配線パターン２４、層間接続体３３を有する部分（＝両面配線板）は、図２に示した工程で説明が尽きている（ただしキャパシタ素子４０の内蔵に要する対応は不要である）。また、配線パターン２５、絶縁層１５、配線パターン２５、層間接続体３５を有する部分（＝両面配線板）も同様である。
【００６５】
後者の両面配線板には、次に、その配線パターン２５が位置する側に、層間接続体３４の形成、絶縁層１４とすべきプリプレグの積層、およびキャパシタ素子４０１の載置を行う。この点は、図２、図３を参照して、金属箔２２Ａの代わりに両面配線板を使用するとして説明ができる。その後、この両面配線板と前者の両面配線板とを積層、一体化する。そしてさらに、一体化された積層体の配線パターン２３が位置する側に、層間接続体３２の形成と、絶縁層１２とすべきプリプレグ１２Ａの積層とを行う。これにより得られた積層体に開口部２ｏを形成して積層部材２が得られる。
【００６６】
積層部材３については、以下である。積層部材３のうち、配線パターン２７、絶縁層１７、金属箔２８Ａ、層間接続体３７、キャパシタ素子４０３を有する部分（＝キャパタ内蔵の両面配線板）については、図２、図３に示した工程で説明が尽きている。ただし、金属箔２８Ａはこの段階ではパターニングしていない。この両面配線板には、次に、配線パターン２７が位置する側に、層間接続体３６の形成、絶縁層１６とすべきプリプレグ１６Ａの積層、およびキャパシタ素子４０２の載置を行う。キャパシタ素子４０２の位置に対応してプリプレグ１６Ａには開口部１６ｏが設けられている。この点は、図２における開口部１１ｏと同様である。以上より積層部材３が得られる。
【００６７】
図６に示すような配置で各積層部材１、２、３を積層配置してプレス機で加圧、加熱する。これにより、プリプレグ１２Ａ、１６Ａが完全に硬化し全体が積層、一体化する。このとき、加熱により得られるプリプレグ１２Ａ、１６Ａの流動性により、半導体素子部品６１およびチップ抵抗６２の周りの空間にはプリプレグ１２Ａ、１６Ａが変形して進入し空隙は発生しない。また、この積層工程により、配線層２２、２６は、層間接続体３２、３６にそれぞれ電気的に接続される。なお、キャパシタ素子４０２の周りのプリプレグ１６Ａおよび配線パターン２６、２７と、このキャパシタ素子４０２との関係（それらの間で生じる作用）は、図３（ｃ）、（ｄ）での説明を参照することができる。
【００６８】
図６に示す積層工程の後、上下両面の金属箔２８Ａ、２１Ａを周知のフォトリソグラフィを利用して所定にパターニングし、さらにはんだレジスト８１、８２の層を形成することにより、図５に示したようなキャパシタ内蔵配線板を得ることができる。
【００６９】
このキャパシタ内蔵配線板においては、内蔵される半導体素子部品６１や表面に実装される半導体素子部品に対して、キャパシタ素子４０等を、周波数特性の優れたデカップリング用のキャパシタンスとして機能させることができる。すなわち、キャパシタ素子４０等は部品６１等のすぐそばに配置することができ、パターン長によるインダクタンス発生の少ないレイアウトが可能になる。また、キャパシタ素子４０等は、その厚み方向のサイズがチップ抵抗６２のようなチップ部品より極めて小さく、図５に示すような多層配線板のどの絶縁層にも配置できるので、内蔵素子として使いやすい。
【００７０】
以上いくつかの実施形態を説明したが、以上の説明では、導電部材（層）が導電性接着剤層５１、５２であるとした説明であった。導電部材層は、その導電部材として、その一方または両方をはんだとすることもできる。その場合の構造としては、図１における導電性接着剤層５１、５２の一方または両方の代わりにはんだの層が存在する構造になる。はんだを用いる場合も、特に特別な製造装置などが必要となるわけではなく、低コストの製造が可能である。
【００７１】
このような態様の場合のプロセスについては以下になる。導電性接着剤層５１をはんだの層とする場合には、図２（ｃ）における導電性接着剤５１Ａの代わりに組成物であるクリームはんだを金属箔２２Ａ上に設ける。図３（ａ）の段階に相当して、クリームはんだをリフローさせてキャパシタ素子４０を金属箔上に固定することができる。ただし、リフロー温度はプリプレグ１１Ａが熱硬化しない温度とする必要があり、このため、クリームはんだのはんだ成分は低融点のものを用いる。
【００７２】
または、図３（ａ）の段階ではクリームはんだをリフローさせず、あとの図３（ｃ）の段階（積層工程）での加熱によりクリームはんだをリフローさせて、積層と同時にキャパシタ素子４０を金属箔上に固定するようにしてもよい。この積層工程はすでに説明したように、例えば１７５℃の加熱でなされるので、このような低温度で溶融する低融点のはんだ成分を有するクリームはんだを用いる。
【００７３】
あるいは、クリームはんだの塗布は、図２（ａ）に示す層間接続体３１の形成の前時点に金属箔２２Ａ上にあらかじめ行い、さらに、キャパシタ素子４０の載置、クリームはんだのリフローという段階を経てから、図２（ａ）に示すような層間接続体３１の形成以下の工程を行う、としてもよい。この場合は、クリームはんだのリフロー温度は、プリプレグ１１Ａの硬化温度に制限されないので、通常の（例えば２２０℃程度）の融点のはんだ成分を有するクリームはんだを用いることができる。
【００７４】
導電性接着剤５１Ａの代わりにクリームはんだを用いる場合には、なるべく少量のクリームはんだを用いるのが好ましい。少量にすれば、キャパシタ素子４０との間からのはみ出しを回避でき、その導電性による配線板の他の部分への悪影響を防止することができる。また、少量にすれば、この配線板上に部品を実装するときに再溶融して膨張することによる悪影響も最低限にできる。
【００７５】
なお、導電性接着剤層５１の代わりにはんだの層を使用した場合には、このはんだが絶縁層１１の面上に露出しないように、配線パターン２２は、このはんだの全領域上を覆うパターンに形成される。はんだが露出すると、この配線板上に部品を実装するとき（２次実装時）に溶融してはんだが外へ流れ出すのでこれを防止するためである。
【００７６】
また、導電性接着剤層５２をはんだの層とする場合については以下である。この場合は、図３（ｂ）における導電性接着剤５２Ａの代わりに組成物であるクリームはんだをキャパシタ素子４０上に設ける。そして、次の図３（ｃ）の段階（積層工程）での加熱によりクリームはんだをリフローさせて、積層と同時に金属箔２１Ａとキャパシタ素子４０とを電気的に接続する。この積層工程はすでに説明したように、例えば１７５℃の加熱でなされるので、このような低温度で溶融する低融点のはんだ成分を有するクリームはんだを用いる。
【００７７】
導電性接着剤５２Ａの代わりにクリームはんだを用いる場合には、なるべく少量のクリームはんだを用いるのが好ましい。少量にすれば、キャパシタ素子４０との間からのはみ出しを回避でき、その導電性による配線板の他の部分への悪影響を防止することができる。また、少量にすれば、この配線板上に部品を実装するときに再溶融して膨張することによる悪影響も最低限にできる。少量のクリームはんだで済むように、この場合、プリプレグ１１Ａの厚みの設定は、キャパシタ素子４０と金属箔２１Ａとの間の、埋めるべき体積がなるべく小さくなるように行う。
【符号の説明】
【００７８】
１…積層部材、２…積層部材、２ｏ…内蔵部品用開口部、３…積層部材、１１，１２，１３，１４，１５，１６，１７…絶縁層、１１Ａ，１２Ａ，１６Ａ…プリプレグ、１１ｏ…キャパシタ素子用開口部、１６ｏ…キャパシタ素子用開口部、２１，２２，２３，２４，２５，２６，２７，２８…配線層（配線パターン）、２１Ａ，２２Ａ，２８Ａ…金属箔（銅箔）、３１，３２，３３，３４，３５，３６，３７…層間接続体（導電性組成物印刷による導電性バンプ）、４０…キャパシタ素子、４１…誘電体単一層、４１Ａ…グリーンシート、４２，４３…金属導電体層、４２Ａ，４３Ａ…導電体ペースト、５１…導電性接着剤層、５１Ａ…導電性接着剤（硬化前）、５２…導電性接着剤層、５２Ａ…導電性接着剤（硬化前）、６１…半導体素子部品（ウエハレベル・チップスケールパッケージによる電気／電子部品）、６１ａ…表面実装用端子、６２…チップ抵抗（電気部品）、７１，７２…はんだ、８１，８２…はんだレジスト、１０１…スキージ、４０１，４０２，４０３…キャパシタ素子、ＣＬ…カットライン。
【図１】
0005830864.tif 000002
【図２】
0005830864.tif 000003
【図３】
0005830864.tif 000004
【図４】
0005830864.tif 000005
【図５】
0005830864.tif 000006
【図６】
0005830864.tif 000007